(57)【特許請求の範囲】
【請求項１】
包装材により梱包された梱包体において、
半導体装置を収容するための凹部を有する第１の収容部材および第２の収容部材と、
前記第１の収容部材および前記第２の収容部材に貼り付け可能な可撓性のテープ部材と、
を有し、
前記テープ部材は、連続であり、
前記第１の収容部材および前記第２の収容部材が、連続な前記テープ部材に断続的に貼り付けられることで、前記第１の収容部材と前記第２の収容部材とを連結する非収容部が形成されており、
前記非収容部は、
切込み部を有するとともに、
表面と裏面とが反転するようにねじられており、
前記第２の収容部材の底面は、前記第１の収容部材に貼り付けられた前記テープ部材と対面していること
を特徴とする梱包体。
【請求項２】
包装材により梱包された梱包体において、
半導体装置を収容するための凹部を有する第１の収容部材と第２の収容部材と第３の収容部材と、
前記第１の収容部材および前記第２の収容部材および前記第３の収容部材に貼り付け可能な可撓性のテープ部材と、
を有し、
前記テープ部材は、連続であり、
前記第１の収容部材および前記第２の収容部材および前記第３の収容部材が、連続な前記テープ部材に断続的に貼り付けられることで、前記第１の収容部材と前記第２の収容部材とを連結する第１の非収容部と、前記第２の収容部材と前記第３の収容部材とを連結する第２の非収容部と、が形成されており、
前記第１の非収容部および前記第２の非収容部は、
切込み部を有し、
前記第２の収容部材が前記第１の収容部材に対して１８０°回転されており、
前記第３の収容部材の底面は、前記第１の収容部材に貼り付けられた前記テープ部材と対面しており、
前記第１の収容部材および前記第２の収容部材および前記第３の収容部材がらせん状に積み上げられていること
を特徴とする梱包体。
【発明の詳細な説明】
【技術分野】
【０００１】
本明細書の技術分野は、包装材および梱包体に関する。さらに詳細には、半導体装置を包装する包装材および梱包体に関するものである。
【背景技術】
【０００２】
半導体装置は、通常、１個ずつ包装材に収容された状態で保管および輸送される。この包装材として、エンボスキャリアテープとトップカバーテープとを組み合わせたものがある。エンボスキャリアテープは、半導体装置を収容するための凹部を有するとともに、それほど変形しない材質のものである。その材質として例えば、ポリカーボネート樹脂が挙げられる。トップカバーテープは、例えば、透明かつ可撓性の部材である。
【０００３】
従来、エンボスキャリアテープとトップカバーテープとを貼り合わせて、その貼り合わせたものをリールで巻き取る方式の包装材がある。しかし、リールで巻き取る際に、巻き取り径をある程度大きくとらないと、エンボスキャリアテープが弓なりの形状になることがある。エンボスキャリアテープがこのように変形してしまうと、収容されている半導体装置に応力が加わってしまうおそれがある。
【先行技術文献】
【特許文献】
【０００４】
【特許文献１】特開２０１０−２０２２２６号公報
【発明の概要】
【発明が解決しようとする課題】
【０００５】
そのため、例えば、特許文献１には、連続的なキャリアテープに折り曲げ部２１を設けたキャリアテープ２とトップカバーテープ３とを有する包装体１について開示されている（特許文献１の段落［００２８］等参照）。そして、折り曲げ部２１を折り曲げることによって「つづら折れ」状に折り畳むことが可能になっている（特許文献１の段落［００２９］および図４参照）。
【０００６】
特許文献１には、「折り曲げ部２１は、非折り曲げ部２２よりも可撓性に富んでいる。」と記載されている。しかし、折り曲げ部２１は、変形しにくいエンボスキャリアテープの材質でできている。そのため、折り曲げ部２１を形成したとしても、必ずしも容易に変形しない。
【０００７】
本明細書の技術は、前述した従来の技術が有する問題点を解決するためになされたものである。すなわちその課題とするところは、変形しやすく効率的に収容することのできる包装材および梱包体を提供することである。
【課題を解決するための手段】
【０００８】
第１の態様における梱包体は、包装材により梱包された梱包体である。この梱包体は、半導体装置を収容するための凹部を有する第１の収容部材および第２の収容部材と、第１の収容部材および第２の収容部材に貼り付け可能な可撓性のテープ部材と、を有する。テープ部材は、連続である。第１の収容部材および第２の収容部材が、連続なテープ部材に断続的に貼り付けられることで、第１の収容部材と第２の収容部材とを連結する非収容部が形成されている。非収容部は、切込み部を有するとともに、表面と裏面とが反転するようにねじられている。第２の収容部材の底面は、第１の収容部材に貼り付けられたテープ部材と対面している。
【０００９】
この梱包体の包装材は、テープ部材が可撓性であるため、全体の形状を容易に変形することができる。そして、収容部材を変形することなく、包装材の全体の形状を変えることができる。そのため、無駄な空間を生じさせず、高い効率で半導体装置を梱包することができる。
【００１０】
第２の態様における梱包体は、包装材により梱包された梱包体である。この梱包体は、半導体装置を収容するための凹部を有する第１の収容部材と第２の収容部材と第３の収容部材と、第１の収容部材および第２の収容部材および第３の収容部材に貼り付け可能な可撓性のテープ部材と、を有する。テープ部材は、連続である。第１の収容部材および第２の収容部材および第３の収容部材が、連続なテープ部材に断続的に貼り付けられることで、第１の収容部材と第２の収容部材とを連結する第１の非収容部と、第２の収容部材と第３の収容部材とを連結する第２の非収容部と、が形成されている。第１の非収容部および第２の非収容部は、切込み部を有する。第２の収容部材が第１の収容部材に対して１８０°回転されている。第３の収容部材の底面は、第１の収容部材に貼り付けられたテープ部材と対面している。第１の収容部材および第２の収容部材および第３の収容部材がらせん状に積み上げられている。
【００１１】
【００１２】
【００１３】
【００１４】
【００１５】
【００１６】
【００１７】
【００１８】
【００１９】
【発明の効果】
【００２０】
本明細書では、変形しやすく効率的に収容することのできる包装材および梱包体が提供されている。
【図面の簡単な説明】
【００２１】
【図１】第１の実施形態の包装材の概略構成を示す平面図である。
【図２】第１の実施形態の包装材の概略構成を示す正面図である。
【図３】図１の拡大図である。
【図４】図２の拡大図である。
【図５】第１の実施形態の包装材を折り畳んで収容している状態を示す図である。
【図６】第２の実施形態の包装材の概略構成を示す平面図である。
【図７】図６の部分拡大図である。
【図８】第２の実施形態の包装材を折り畳んで収容している状態を示す図である。
【図９】第２の実施形態の包装材をらせん状に収容している状態を示す図である。
【図１０】第３の実施形態の包装材の概略構成を示す平面図である。
【図１１】第３の実施形態の変形例の包装材の概略構成を示す平面図（その１）である。
【図１２】第３の実施形態の変形例の包装材の概略構成を示す平面図（その２）である。
【発明を実施するための形態】
【００２２】
以下、具体的な実施形態について、包装材および梱包体を例に挙げて図を参照しつつ説明する。しかし、これらの実施形態に限定されるものではない。本明細書で、梱包体とは、包装材に半導体装置を収容した状態でその包装材を梱包したものをいうこととする。
【００２３】
（第１の実施形態）
１．包装材
図１は、本実施形態の包装材１００の概略構成を示す平面図である。図２は、本実施形態の包装材１００の概略構成を示す正面図である。図１および図２に示すように、包装材１００は、複数のエンボステープ１０と、トップカバーテープ２０と、を有する。エンボステープ１０は、凹部１１を有する収容部材である。凹部１１は、半導体装置を収容するためのものである。トップカバーテープ２０は、可撓性のテープ部材である。トップカバーテープ２０は、エンボステープ１０に貼り付け可能なものである。トップカバーテープ２０は、連続部材である。エンボステープ１０は、非連続部材である。
【００２４】
包装材１００は、エンボステープ１０が存在する収容部Ｒ１と、エンボステープ１０が存在しない非収容部Ｒ２と、を有する。つまり、収容部Ｒ１は、半導体装置を収容する部分である。非収容部Ｒ２は、半導体装置を収容しない部分である。収容部Ｒ１は、エンボステープ１０とトップカバーテープ２０とを有する。非収容部Ｒ２は、トップカバーテープ２０を有するが、エンボステープ１０を有さない。
【００２５】
図３は、図１の拡大図である。図４は、図２の拡大図である。なお、図３は、半導体装置が収容されている様子を示している。図３に示すように、エンボステープ１０の凹部１１は、貫通孔（図示せず）を有する。貫通孔は、包装材１００の開封時等に半導体装置を押し出すときに用いられるものである。また、エンボステープ１０の外縁部には、一列の貫通孔１３が設けられている。貫通孔１３は、包装材１００の搬送時に用いられるものである。
【００２６】
エンボステープ１０の材質として、例えば、ポリスチレン、ポリエチレン、ポリプロピレン、ポリエステル（ポリエチレンテレフタレート）、ポリカーボネート、ポリ塩化ビニル、ポリイミド等の各種樹脂材料が挙げられる。
【００２７】
ここで、エンボステープ１０は、連続なトップカバーテープ２０に断続的に貼り付けられるようになっている。ここで、エンボステープ１０は、不連続である。
【００２８】
２．梱包体
図５は、本実施形態の包装材１００を折り畳んで収容している状態を示す図である。包装材１００の非収容部Ｒ２は、トップカバーテープ２０を有するが、エンボステープ１０を有さない。そのため、非収容部Ｒ２の箇所で折り曲げることができる。図５に示すように、包装材１００は、つづら折れ状に折り畳まれることとなる。つまり、エンボステープ１０の底面とエンボステープ１０の底面とが対面するように、包装材１００は収容される。したがって、包装材１００は、非常にコンパクトに収容されることとなる。また、包装材１００は、半導体装置を機械的衝撃や電気的衝撃から好適に保護することができる。
【００２９】
このとき、梱包体１０００は、第１のエンボステープ１０と第２のエンボステープ１０と、第１のエンボステープ１０と第２のエンボステープ１０とを連結する非収容部Ｒ２と、を有する。非収容部Ｒ２は、折り曲げられている。非収容部Ｒ２は、可撓性を備えている。これに対して、収容部Ｒ１は、可撓性を備えていない。第２のエンボステープ１０の底面は、第１のエンボステープ１０の底面と対面している。
【００３０】
３．本実施形態のまとめ
以上詳細に説明したように、包装材１００は、凹部１１を有する複数のエンボステープ１０と、連続かつ可撓性のトップカバーテープ２０と、を有する。そして、連続なトップカバーテープ２０に、エンボステープ１０が断続的に貼り付けられるようになっている。包装材１００は、エンボステープ１０が存在する収容部Ｒ１と、エンボステープ１０が存在しない非収容部Ｒ２と、を有する。そのため、非収容部Ｒ２は、非常に可撓性に富んでいる。したがって、非収容部Ｒ２は、容易に変形する。その結果、好適に収容可能な包装材１００が実現されている。
【００３１】
なお、以上に説明した実施形態は単なる例示にすぎない。したがって当然に、その要旨を逸脱しない範囲内で種々の改良、変形が可能である。例えば、貫通孔１３は、エンボステープ１０の両側に存在するが、エンボステープ１０の片側のみに存在してもよい。
【００３２】
（第２の実施形態）
第２の実施形態について説明する。第１の実施形態と異なる点を中心に説明する。
【００３３】
１．包装材
図６は、本実施形態の包装材２００の概略構成を示す平面図である。図７は、図６の部分拡大図である。図６および図７に示すように、包装材２００は、複数のエンボステープ１０と、トップカバーテープ２２０と、を有する。エンボステープ１０は、凹部１１を有する収容部材である。凹部１１は、半導体装置を収容するためのものである。トップカバーテープ２２０は、可撓性のテープ部材である。トップカバーテープ２２０は、連続な部材である。トップカバーテープ２２０は、エンボステープ１０に貼り付けられるようになっている。
【００３４】
包装材２００は、収容部Ｒ１と、非収容部Ｒ２と、を有する。収容部Ｒ１は、第１の実施形態の収容部Ｒ１と同様である。トップカバーテープ２２０は、非収容部Ｒ２の箇所に切込み部２２１を有している。つまり、非収容部Ｒ２は、切込み部２２１を有する。切込み部２２１は、トップカバーテープ２２０の幅方向の一方向から切込みを入れられた箇所である。切込み部２２１の切込みの深さは、トップカバーテープ２２０の全幅の１／５以上２／３以下である。切込みの深さは、全幅の１／２であるとよい。そのため、切込み部２２１の箇所で自由に折り曲げや、ひねりを加えることができる。
【００３５】
２．梱包体
２−１．つづら折れ
図８は、本実施形態の包装材２００を折り畳んで収容している状態を示す図である。包装材２００の非収容部Ｒ２は、トップカバーテープ２２０を有するが、エンボステープ１０を有さない。そのため、非収容部Ｒ２の箇所でトップカバーテープ２２０をひねることができる。このとき、切込み部２２１があるため、トップカバーテープ２２０の表向きと裏向きとを反転させることができる。これにより、第１の収容部Ｒ１は表向きにし、第２の収容部Ｒ１を裏向きにし、第３の収容部Ｒ１を再度表向きにすることができる。これにより、図８に示すように、常に、トップカバーテープ２２０の上にエンボステープ１０を積み上げることができる。
【００３６】
このとき、梱包体２０００は、第１のエンボステープ１０と第２のエンボステープ１０と、第１のエンボステープ１０と第２のエンボステープ１０とを連結する非収容部Ｒ２と、を有する。非収容部Ｒ２は、切込み部２２１を有するとともに、表面と裏面とが反転するようにねじられている。第２のエンボステープ１０の底面は、第１のエンボステープ１０に貼り付けられたトップカバーテープ２２０と対面している。
【００３７】
２−２．螺旋
図９は、本実施形態の包装材２００をらせん状に収容している状態を示す図である。包装材２００の非収容部Ｒ２は、トップカバーテープ２２０を有するが、エンボステープ１０を有さない。そのため、非収容部Ｒ２の箇所でトップカバーテープ２２０をひねることができる。このとき、切込み部２２１があるため、トップカバーテープ２２０を１８０°回転させてらせん状の形状にすることができる。これにより、図９に示すように、常に、トップカバーテープ２２０の上にエンボステープ１０を積み上げることができる。
【００３８】
このとき、梱包体３０００は、第１のエンボステープ１０と第２のエンボステープ１０と第３のエンボステープ１０と、第１のエンボステープ１０と第２のエンボステープ１０とを連結する第１の非収容部Ｒ２と、第２のエンボステープ１０と第３のエンボステープ１０とを連結する第２の非収容部Ｒ２と、を有する。第１の非収容部Ｒ２および第２の非収容部Ｒ２は、切込み部２２１を有するとともに、１８０°回転されている。第３のエンボステープ１０の底面は、第１のエンボステープ１０に貼り付けられたエンボステープ１０と対面している。
【００３９】
３．本実施形態のまとめ
以上詳細に説明したように、包装材２００は、凹部１１を有する複数のエンボステープ１０と、連続かつ可撓性のトップカバーテープ２２０と、を有する。そして、連続なトップカバーテープ２２０に、エンボステープ１０が断続的に貼り付けられるようになっている。包装材２００は、エンボステープ１０が存在する収容部Ｒ１と、エンボステープ１０が存在しない非収容部Ｒ２と、を有する。そのため、非収容部Ｒ２は、非常に可撓性に富んでいる。したがって、非収容部Ｒ２は、容易に変形する。そして、トップカバーテープ２２０の非収容部Ｒ２の箇所には、切込み部２２１が形成されている。その結果、好適に収容可能な包装材２００が実現されている。
【００４０】
（第３の実施形態）
第３の実施形態について説明する。第３の実施形態では、接着部が第１の実施形態と異なっている。そのため、その相違点を中心に説明する。
【００４１】
１．包装材
図１０は、第３の実施形態の包装材３００の概略構成を示す平面図である。図１０に示すように、包装材３００は、エンボステープ１０と、トップカバーテープ３２０と、を有する。トップカバーテープ３２０は、その幅方向の両端部に接着部３２１、３２２を有する。接着部３２１、３２２は、トップカバーテープ３２０とエンボステープ１０とを接着するための接着部材である。接着部３２１、３２２があるために、トップカバーテープ３２０とエンボステープ１０とは好適に接着する。エンボステープ１０の凹部１１は、貫通孔１２を有する。貫通孔１２は、包装材３００の開封時等に半導体装置を押し出すときに用いられるものである。
【００４２】
２．変形例
２−１．長方形
図１１は、第３の実施形態の変形例の包装材４００の概略構成を示す平面図（その１）である。図１１に示すように、包装材４００は、エンボステープ１０と、トップカバーテープ４２０と、を有する。トップカバーテープ４２０は、その幅方向の両端部に位置する接着部４２１、４２２と、接着部４２１の端部と接着部４２２の端部とを結ぶ領域に位置する接着部４２３、４２４と、を有する。接着部４２１、４２２、４２３、４２４は、長方形を模っている。そのため、トップカバーテープ４２０とエンボステープ１０とはより好適に接着する。
【００４３】
２−２．非接着部
図１２は、第３の実施形態の変形例の包装材５００の概略構成を示す平面図（その２）である。図１２に示すように、包装材５００は、エンボステープ１０と、トップカバーテープ５２０と、を有する。トップカバーテープ５２０は、その幅方向の両端部の一部に接着部５２１ａ、５２２ａ、５２１ｂ、５２２ｂ、５２１ｃ、５２２ｃを有する。
【００４４】
接着部５２１ａと接着部５２１ｂとの間には、非接着部５３１ａがある。接着部５２２ａと接着部５２２ｂとの間には、非接着部５３２ａがある。つまり、収容部Ｒ１におけるトップカバーテープ５２０の両端部には、接着部と非接着部とが交互に配置されている。
【００４５】
エンボステープ１０とトップカバーテープ５２０とを接着する際に、トップカバーテープ５２０に張力を加える。これにより、エンボステープ１０の巻き癖を解消することができる。
【００４６】
２−３．組み合わせ
本実施形態および各変形例の技術と、第１の実施形態および第２の実施形態の技術と、を自由に組み合わせてもよい。
【符号の説明】
【００４７】
１００、２００、３００、４００…包装材
１０…エンボステープ
１１…凹部
２０、２２０、３２０、４２０…トップカバーテープ
２２１…切込み部
Ｒ１…収容部
Ｒ２…非収容部
【図１】
0006634884.tif 000002
【図２】
0006634884.tif 000003
【図３】
0006634884.tif 000004
【図４】
0006634884.tif 000005
【図５】
0006634884.tif 000006
【図６】
0006634884.tif 000007
【図７】
0006634884.tif 000008
【図８】
0006634884.tif 000009
【図９】
0006634884.tif 000010
【図１０】
0006634884.tif 000011
【図１１】
0006634884.tif 000012
【図１２】
0006634884.tif 000013